(57)【要約】【課題】  扁平なホック金具であっても、生地に固定した状態での生地の皺寄り、ホック自体の回り止め及び生地の傷つき防止を行えるようにしたホック金具またはこれと同一範疇にあるハトメ金具を提供する。【解決手段】  ホック金具１の類を構成する雌雄ホック６、４の表面金具７の裏側に突設した割り筒状の係止脚部７ａを、生地５，３及び生地の裏側に配置される係止体（雌ホック主体１０、雄ホック主体８）を貫通して該係止体にカシメつけることで、表面金具７を生地に密着固定するホック・ハトメ金具において、生地５，３と表面金具７との間に表面金具の径より大径のポリエチレン樹脂などよりなる薄手の合成樹脂製ワッシャ９を介在させ、該ワッシャ９の両面には、微細な凹凸９ｂを密に形成させる。【選択図】      図２
2005270573.tif 000002
【特許請求の範囲】
【請求項１】
ホック金具の類を構成する雌雄ホックの表面金具の裏側に突設した係止脚部を、生地及び生地の裏側に配置される係止体を貫通して該係止体にカシメつけることで、表面金具を生地に密着固定するホック・ハトメ金具において、
前記生地と表面金具との間に表面金具の径より大径の合成樹脂製ワッシャを介在させ、該ワッシャの両面には、微細な凹凸が密に形成されていることを特徴とするホック・ハトメ金具。
【請求項２】
ハトメ金具の類の本体を構成するフランジ部の裏側に突設した筒部を、生地及び生地の裏側に配置されるリング状座金を貫通して該座金にカシメつけることで、フランジ部を生地に密着固定するホック・ハトメ金具において、
前記生地とフランジ部との間にフランジ部の径より大径の合成樹脂製ワッシャを介在させ、該ワッシャの両面には、微細な凹凸が密に形成されていることを特徴とするホック・ハトメ金具。
【請求項３】
前記ワッシャの両面に形成される微細な凹凸は、シボ柄若しくはエンボス柄であることを特徴とする請求項１又は２に記載のホック・ハトメ金具。
【請求項４】
前記ワッシャが前記生地の色に合わせた着色透明樹脂から構成されていることを特徴とする請求項１乃至３のいずれか１項に記載のホック・ハトメ金具。
【発明の詳細な説明】
【技術分野】
【０００１】
本発明はホック・ハトメ金具に関し、特にこれらを生地に固定した状態における生地の皺寄り防止、ホック金具またはハトメ金具自体の回り止め及び生地の傷つき防止を行うための構造に係るもである。
【背景技術】
【０００２】
下記特許文献１に示すように、衣類などの生地とホック金具の間に弾性樹脂からなるパッキンを介在させて、ホック頭体の脚部を生地に貫通し、裏側で係止部にカシメつけることにより、ホック頭体の内側に設けた凹部にパッキンが嵌合し、パッキンを介在した状態で、ホック頭体と係止脚との間で生地を挟みこみ、これにより生地のホック皺を防止するとともに、ホックの繰返し脱着に対する生地の傷つきを防止し、耐久性を向上するための構造がある。
【特許文献１】特開平８−２９４４０５号公報
【発明の開示】
【発明が解決しようとする課題】
【０００３】
しかしながら、例えば女性用ボディスーツ、ガードルのような身体矯正用の下着など、特に薄ものナイロン生地であって生地の一箇所で脱着を行うために用いるホックは、扁平である必要があるため、凹部を形成する余裕がなく、パッキンを介在する構造はできない一方で、当該部分の補強が必須であり、特にナイロンなどの生地は摩擦が小さく、ホック頭体との間で滑りやすいので、回り止めも施しておかなければならない。
【０００４】
本発明は、以上の課題を解決するものであり、その目的とするところは、扁平なホック金具であっても、生地に固定した状態での生地の皺寄り、ホック自体の回り止め及び生地の傷つき防止を行えるようにしたホック金具またはこれと同一範疇にあるハトメ金具を提供するものである。
【課題を解決するための手段】
【０００５】
前記目的を達成するため、本発明に係るホック・ハトメ金具では、図１乃至４の第１実施形態に示すように、ホック金具１の類を構成する雌雄ホック６、４の表面金具７の裏側に突設した割り筒状の係止脚部７ａを、生地５，３及び生地の裏側に配置される係止体（雌ホック主体１０、雄ホック主体８）を貫通して該係止体にカシメつけることで、表面金具７を生地に密着固定するホック・ハトメ金具において、前記生地５，３と表面金具７との間に表面金具の径より大径のポリエチレン樹脂などよりなる薄手の合成樹脂製ワッシャ９を介在させ、該ワッシャ９の両面には、微細な凹凸９ｂが密に形成されていることを特徴とする。
【０００６】
前記目的を達成するため、本発明に係るホック・ハトメ金具では、図５及び６の第２実施形態に示すように、ハトメ金具２の類の本体２１を構成するフランジ部２１ａの裏側に突設した筒部２１ｂを、生地２０及び生地の裏側に配置されるリング状座金２２を貫通して該座金２２にカシメつけることで、フランジ部２１ａを生地に密着固定するホック・ハトメ金具において、前記生地２０とフランジ部２１ａとの間にフランジ部の径より大径の上記と同様の合成樹脂製ワッシャ２３を介在させ、該ワッシャ２３の両面には、微細な凹凸２３ｂが密に形成されていることを特徴とする。
【０００７】
前記ワッシャ９、２３の両面に形成される微細な凹凸９ｂ，２３ｂは、シボ若しくはエンボス柄であることを特徴としている。
【０００８】
また、前記ワッシャが前記生地の色に合わせた着色透明樹脂から構成されていることを特徴としている。
【発明の効果】
【０００９】
以上の構成により本発明では、カシメ付け固定した状態でワッシャの表裏は、その微細な凹凸９ｂ，２３ｂが表面金具７又はフランジ部２１ａ裏面及び生地に対して回り止め抵抗となり、回り止めがなされ、かつワッシャにより表面金具又はフランジ部の周囲での生地の皺寄りが解消され、しかもワッシャにより生地の傷つきが防止される。
【００１０】
またワッシャの表面金具又はフランジ部からはみ出た部分は微細な凹凸によるつや消しにより目立つことがなく、また生地に合わせた色合に形成することで、さらに見栄えがよくなり、違和感がない。
【発明を実施するための最良の形態】
【００１１】
以下本発明の実施の形態に付き添付図面を参照して説明する。図１〜図４は本発明をホック金具に適用した第１実施形態を示す。このホック金具１は、例えば、女性用下着の一種である身体矯正用のボディスーツの股下の脱着に用いられる。
【００１２】
図１は、以上のホック金具１を分解して示すもので、表生地３側に固定される雄ホック４と、裏生地５側に固定される雌ホック６とからなっている。なお、図では厚みを誇張して描いているが、実際には扁平薄型のものである。
【００１３】
前記雄ホック４は、表生地３の表面に配置されるボタン形のホック頭である表面金具７と、裏側に配置される係止体としての雄ホック主体８、及び表面金具７と生地３間に介在されるワッシャ９とからなっている。
【００１４】
前記表面金具７及び雄ホック主体８はいずれも金属製であって、同径のものである。そして、表面金具７の下部中心には複数割りされたカシメ用の係止脚部７ａが一体に突設されている。また雄ホック主体８の中心には前記係止脚部７ａを挿通する孔８ａが開口されているとともに、その底部の一段拡径された外周部に複数割りされた係止筒部８ｂを突設し、その下端外周に係止突起８ｃを一体に形成している。
【００１５】
前記ワッシャ９は、透明ないしは前記生地３の色に合わせた透明着色のポリエチレンなどの薄型で腰のある合成樹脂薄板であって、前記表面金具７よりも径大であって、その中央には前記係止脚部７ａを挿通する孔９ａが形成されているとともに、表裏面にはシボ形状若しくはエンボス形状の微細な凹凸９ｂが形成されている。凹凸９ｂは、梨子地状或いはクロス線状など、適宜に密に形成される形状であればよい。
【００１６】
前記雌ホック６は、裏生地５の裏面側に配置される前記とほぼ同様の表面金具７、上面に配置される雌ホック主体１０及び表面金具７と裏生地５間に介在される前記と同様のワッシャ９とからなるものである。
【００１７】
雌ホック主体１０の中心には、前記係止脚部７ａを挿通する孔１０ａが開口それているとともに、孔１０ａの上部側においてこれより拡径された前記係止筒部８ｂを嵌合する係止孔１０ｂが形成されその上部内縁には前記係止突起８ｃの抜止め用突起１０ｃを突設している。
【００１８】
図２は、以上の雄ホック４及び雌ホック６をそれぞれの生地３，５に固定した状態を示すもので、それぞれ表面金具７の係止脚部７ａはカシメ付け作業により雌雄ホック主体８，１０の孔底部で折曲げられ、生地３，５及びワッシャ９を表面金具７と雌雄ホック主体８，１０間に強固に挟みつけ固定する。
【００１９】
この状態では生地３，４及びワッシャ９は、接合面形状に応じて変形するが、生地３，５の表裏面において表面金具７よりワッシャ９の径が大きいため、生地３，５の極度の皺寄りは抑制され、また、表面金具７がワッシャ９の凹凸９ｂによって滑り止めされ、かつ生地３，５もワッシャ９の凹凸９ｂによって滑り止めされ、或いは凹凸９ｂに沿って変形することで、表面金具７の回り止めがなされると同時に、生地３，５の傷つきも防止することになる。したがって、生地３，５がナイロンなどのように滑りやすく、かつ薄もの生地であっても、ホック金具１は、回転することなく強固に固定されるものとなる。
【００２０】
図３は以上の雌雄ホック４，６同士を結合した状態を示し、はめ込み時には雄ホック主体８の係止筒部８ｂの先端係止突起８ｃが抜止め用突起１０ｃに当り、その径を縮小しつつ係止孔１０ｂ内に嵌合され、嵌合状態では弾発的に元の径に復帰することで、抜止めされ強固に連結状態を保つことになる。またこの状態から外すには表面金具７をある程度以上の力で引張れば、前記とは逆の作用により簡単に外すことが可能となる。
【００２１】
図４は同固定状態における外観を示すもので、生地上にワッシャ９を介して扁平なボタン状のホック頭部となる表面金具７が位置しており、かつワッシャ９の表面金具７からはみ出た周縁は、透明で、微細な凹凸９ｂにより光を乱反射するため生地３，５に対して特に目立つことなく、違和感を感じさせないものとなる。また、生地３，５と同様な色合に着色しておけば、さらに見栄えが向上するものとなる。
【００２２】
なお、以上の実施形態では、女性用の薄もの生地に適用した場合を例示したが、必ずしもこれに限定されるものでなく、厚手の生地にも適用可能であることは勿論である。
【００２３】
次に図５，６は、本発明をハトメ金具２に適用した場合の第２実施形態を示す。このハトメ金具２は、皮革などの比較的厚手の生地２０に予めポンチングされた孔２０ａに挿通されるハトメ本体２１と、生地２０の裏面側で本体２を受ける座金２２と、本体２１と生地２０間に介在されるワッシャ２３とからなっている。
前記ハトメ本体２１は、金属薄板のプレス加工品であって、リング状に形成されたフランジ部２１ａと、フランジ部２１ａの中心に一体に垂設されたカシメ用の筒部２１ｂとからなるものである。
【００２４】
前記座金２２は円盤状をなし、かつその中心に前記筒部２１を挿通する孔２２ａを開口するとともに、円盤内に同心状の凸部２２ｂを形成したものである。
【００２５】
前記ワッシャ２３は、前記第１実施形態と同様にポリエチレンなどの腰のある樹脂薄板体であって、本体２１のフランジ部２１ａの径より大きく、その中心に筒部２１ｂの挿通孔２３ａを形成し、表裏面にはシボ形状の微細な凹凸２３ｂが形成されている。
【００２６】
そして、前記筒部２１ｂを生地２０の裏面側で座金２２にカシメ付けた状態では、本体２１のフランジ部２１ａの周縁はワッシャ２３に食込み、微細な凹凸２３ｂによって回り止めがなされ、またワッシャ２３の裏面側は生地２０に対して凹凸状に圧接することになる。
【００２７】
周知のように、ハトメ本体２１のフランジ部２１ａの周縁はナイフエッジであるため、従来ではカシメ圧力によって生地２０に食込み、この部分を食破り、破損原因や、生地の耐久性低下の原因となるが、本実施形態ではその食込みをワッシャ２３で受けるため、生地２０に対する直接の食込みがなくなるため、ハトメ取付位置における生地強度を増し、耐久性を向上できる。
【図面の簡単な説明】
【００２８】
【図１】本発明の第１実施形態におけるホック金具の分解側断面図である。
【図２】同雌雄のホックをそれぞれ表生地及び裏生地に固定した状態を示す側断面図である。
【図３】同雌雄のホックを嵌め付けた状態を示す側断面図である。
【図４】同ホックの外観を示す斜視図である。
【図５】本発明の第２実施形態におけるハトメ金具の分解斜視図である。
【図６】同組立状態を示す側断面図である。
【符号の説明】
【００２９】
１  ホック金具
２  ハトメ金具
３，５，２０  生地
４  雄ホック
６  雌ホック
７  表面金具
７ａ  係止脚部
８  係止体としての雄ホック主体
９，２３  ワッシャ
９ｂ，２３ｂ  凹凸
１０  係止体としての雌ホック主体
２１  ハトメ金具本体、２１ａ  フランジ部、２１ｂ  筒部
２２  座金
【図１】
2005270573.tif 000003
【図２】
2005270573.tif 000004
【図３】
2005270573.tif 000005
【図４】
2005270573.tif 000006
【図５】
2005270573.tif 000007
【図６】
2005270573.tif 000008